(57)【要約】【課題】表示部と巻き取り部の接続部において、巻き癖がつくことによる表示部の破損を防止する。【解決手段】表示装置であって、画像を表示する表示面を有するシート状の表示部と、前記表示部を格納する格納部と、前記格納部に配置され、前記表示面が内側となる第１方向または前記表示面が外側となる第２方向に前記表示部を巻き取る巻き取り部と、巻き取り方向を前記第１方向または前記第２方向に切り替える切り替え部と、前記巻き取り部と前記表示部とを接続し、前記巻き取り方向に応じて屈曲する接続部と、を有する。【選択図】図６
2019184913.tif 000002
【特許請求の範囲】
【請求項１】
画像を表示する表示面を有するシート状の表示部と、
前記表示部を格納する格納部と、
前記格納部に配置され、前記表示面が内側となる第１方向または前記表示面が外側となる第２方向に前記表示部を巻き取る巻き取り部と、
巻き取り方向を前記第１方向または前記第２方向に切り替える切り替え部と、
前記巻き取り部と前記表示部とを接続し、前記巻き取り方向に応じて屈曲する接続部と、
を有することを特徴とする表示装置。
【請求項２】
前記接続部は、ヒンジであることを特徴とする請求項１に記載の表示装置。
【請求項３】
前記接続部は、弾性体であることを特徴とする請求項１に記載の表示装置。
【請求項４】
前記接続部は、前記表示面に固定された表示面側接続部と、前記表示面の裏側に、前記表示面側接続部と離間して固定された裏面側接続部と、を有することを特徴とする請求項３に記載の表示装置。
【請求項５】
前記接続部は、前記巻き取り部と固定されたガイドバーを有する巻き取り部側接続部と、前記ガイドバーが挿通される穴が設けられた表示部側接続部と、を有することを特徴とする請求項１に記載の表示装置。
【請求項６】
前記接続部は、前記表示部の一辺に離間して配置された複数の接続領域を有することを特徴とする請求項１乃至５のいずれかに記載の表示装置。
【請求項７】
前記表示部の巻き取り方向を検出する検出部をさらに有することを特徴とする請求項１乃至６のいずれかに記載の表示装置。
【請求項８】
前記検出部は、前記接続部が屈曲した状態で前記巻き取り部との接触を検出することを特徴とすることを特徴とする請求項７に記載の表示装置。
【請求項９】
前記巻き取り方向を記憶する記憶部を有することを特徴とする請求項１乃至８のいずれかに記載の表示装置。
【請求項１０】
前記表示部は、さらに、
前記表示部が前記格納部から全て引き出された場合に、前記巻き取り部が前記記憶部に記憶された巻き取り方向と異なる巻き取り方向に前記表示部を巻き取るように制御する制御部と、
前記制御部の制御によって、前記巻き取り部を第１方向または第２方向に回転させるアクチュエータと、
を有することを特徴とする請求項９に記載の表示装置。
【請求項１１】
前記制御部は、前記第１方向と前記第２方向を交互に切り替えるように制御することを特徴とする請求項１０に記載の表示装置。
【発明の詳細な説明】
【技術分野】
【０００１】
本発明は、表示装置に関する。
【背景技術】
【０００２】
可撓性を有する表示部を有する表示装置や、巻き取り可能な表示部を有する表示装置が知られている。可撓性を有する表示部は、何度も同じ方向に巻き取られると、巻き取られた方向に応じて表示部が反った状態となり（以下、巻き癖がついた、と表現する）、可撓性が低下することがある。また、収納された状態で長時間経過した場合も巻き癖がつき，表示部を強制的に平坦な状態に展開しようとすると表示部が破損する。
【０００３】
そこで、例えば、下記特許文献１は、可撓性を有する薄型表示部を巻き取る第１ローラと、第１ローラを第１方向及び第1方向とは反対の第２方向に回転させるローラコントローラとを含み、薄型表示部が第１の方向および第２の方向のいずれかに選択的に巻かれるように制御する表示装置を開示している。
【０００４】
また、下記特許文献２は、可撓性を有する表示部を、第１の方向及び第１の方向とは反対の第２の方向の両方に巻きとるローラを有する表示装置を開示している。
【先行技術文献】
【特許文献】
【０００５】
【特許文献１】米国特許出願公開第２０１５/０００９６３６号明細書
【特許文献２】米国特許出願公開第２０１６/００３４０００号明細書
【発明の概要】
【発明が解決しようとする課題】
【０００６】
表示部を巻き取ると、表示部の引き出された部分だけでなく、表示部と巻き取り部との接続部にも巻き癖がつく。ローラの巻き取り方向が、第１方向から第２方向に変わると、接続部における表示部と巻き取り部の表面とのなす角度は、１８０度変化する。従って、巻き癖による表示部の破損は、特に接続部付近で発生する。
【０００７】
本発明は上記課題に鑑みてなされたものであって、その目的は、表示部と巻き取り部の接続部において、巻き癖がつくことによる表示部の破損を防止することである。
【課題を解決するための手段】
【０００８】
本開示の表示装置は、画像を表示する表示面を有するシート状の表示部と、前記表示部を格納する格納部と、前記格納部に配置され、前記表示面が内側となる第１方向または前記表示面が外側となる第２方向に前記表示部を巻き取る巻き取り部と、巻き取り方向を前記第１方向または前記第２方向に切り替える切り替え部と、前記巻き取り部と前記表示部とを接続し、前記巻き取り方向に応じて屈曲する接続部と、を有することを特徴とする。
【図面の簡単な説明】
【０００９】
【図１】第１の実施形態に係る表示部を全て引き出した状態を示す図である。
【図２】第１の実施形態に係る表示部を一部引き出した状態を示す図である。
【図３】第１の実施形態に係る表示部を全て巻き取った状態を示す図である。
【図４】第１の実施形態に係る表示部を一部引き出した状態を示す図である。
【図５】第１の実施形態に係る表示部を全て巻き取った状態を示す図である。
【図６】第１の実施形態における表示装置の断面を示す図である。
【図７】第１の実施形態の平面視における表示装置を示す図である。
【図８】表示装置が行う巻き取り動作を表すフローチャートである。
【図９】第１の実施形態の変形例における表示装置の断面を示す図である。
【図１０】第１の実施形態の変形例において平面視における表示装置を示す図である。
【図１１】第２の実施形態における表示装置の断面を示す図である。
【図１２】第２の実施形態の変形例における表示装置の断面を示す図である。
【図１３】第２の実施形態の平面視における表示装置を示す図である。
【図１４】第３の実施形態における表示装置の断面を示す図である。
【図１５】第３の実施形態の平面視における表示装置を示す図である。
【発明を実施するための形態】
【００１０】
以下に、本発明の各実施の形態について、図面を参照しつつ説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して詳細な説明を適宜省略することがある。
【００１１】
また、下記の各実施形態においては、開示例として有機ＥＬ表示装置の場合を例示したが、その他の適用例として、液晶表示装置、その他の自発光型表示装置、あるいは電気泳動素子等を有する電子ペーパー型表示装置等あらゆるフラットパネル型の表示装置が挙げられる。また、中小型から大型まで、特に限定することなく適用が可能であることは言うまでもない。
【００１２】
[第１の実施形態]
まず、第１の実施形態に係る表示装置１００の機械的な構成について説明する。図１（ａ）乃至図５（ｂ）は、いずれも第１の実施形態に係る表示装置１００の概略を示す図である。図１（ａ）、図２（ａ）、図３（ａ）、図４（ａ）及び図５（ａ）は、表示装置１００の上面から見た平面図である。図１（ｂ）、図２（ｂ）、図３（ｂ）、図４（ｂ）及び図５（ｂ）は、それぞれ図１（ａ）、図２（ａ）、図３（ａ）、図４（ａ）及び図５（ａ）のＩ−Ｉ断面、II−II断面、III−III断面、IV−IV断面及びV−V断面を示す図である。
【００１３】
また、図１（ａ）及び図１（ｂ）は、表示部１０２を第１格納部１０４から全て引き出した状態を示す図である。図２（ａ）及び図２（ｂ）は、表示部１０２の一部を第１方向６０２（図６参照）に巻き取った状態を示す図である。図３（ａ）及び図３（ｂ）は、表示部１０２を第１方向６０２に全て巻き取った状態を示す図である。図４（ａ）及び図４（ｂ）は、表示部１０２の一部を第２方向６０４（図６参照）に巻き取った状態を示す図である。図５（ａ）及び図５（ｂ）は、表示部１０２を第２方向６０４に全て巻き取った状態を示す図である。
【００１４】
表示装置１００は、表示部１０２と、第１格納部１０４と、巻き取り部１０６と、検出部６０６（図６参照）と、アクチュエータ１０８と、制御部１１０と、記憶部（図示なし）、切り替え部（図示なし）と、接続部１１２と、ロール対１１４と、引き出し構造体１１６と、第２格納部１１８と、駆動回路１２０と、接続線１２２と、制御回路１２４と、固定部１２６と、を有する。
【００１５】
表示部１０２は、シート状であって、画像を表示する表示面１２８を有する。具体的には、表示部１０２は、例えば有機ＥＬパネルなどの画像を表示する薄型のパネルである。表示部１０２は、ＴＦＴ（Thin Film Transistor）やコンデンサが形成されたアレイ層や、光を発する有機ＥＬ（Electro Luminescence）層等が設けられる。表示部１０２は、表示領域１３０を有し、表示領域１３０は、それぞれ複数の副画素で構成された複数の画素がマトリクス状に配置される。表示領域１３０は、各画素が発光することにより画像を表示する。
【００１６】
また、表示部１０２は、第１格納部１０４と第２格納部１１８の間に配置され、第２格納部１１８から第１格納部１０４へ向かう方向に向かって、第１格納部１０４に格納される。表示部１０２は、格納された状態で巻き取り部１０６の周りに巻きつけられるように可撓性を有する。
【００１７】
第１格納部１０４は、表示部１０２を格納する。具体的には、第１格納部１０４は、金属製または樹脂製の筐体であって、内部に検出部６０６、切り替え部、巻き取り部１０６、制御部１１０、記憶部、アクチュエータ１０８及び接続部１１２が配置される。後述するように制御部１１０は、アクチュエータ１０８を制御することにより、巻き取り部１０６を回転させる。これにより、第１格納部１０４は、巻き取り部１０６と接続された表示部１０２を内部に格納する。
【００１８】
巻き取り部１０６は、第１格納部１０４に配置され、表示面１２８が内側となる第１方向６０２または表示面１２８が外側となる第２方向６０４に表示部１０２を巻き取る。具体的には、巻き取り部１０６は、第１格納部１０４に配置され、接続部１１２を介して表示部１０２と接続される。巻き取り部１０６は、図２（ｂ）及び図３（ｂ）に示すように、時計回り（以下、第１方向６０２とする）に巻き取り部１０６の中心を軸（以下、巻き取り軸６０８とする）として回転し表示部１０２を巻き取る。また、巻き取り部１０６は、図４（ｂ）及び図５（ｂ）に示すように、反時計回り（以下、第２方向６０４とする）に巻き取り軸６０８を中心に回転し表示部１０２を巻き取る。
【００１９】
これにより、第１格納部１０４は、表示部１０２の一部または全部を筐体の内部に格納する。図１（ｂ）に示すように、表示部１０２が全て第１格納部１０４から引き出された状態では、表示部１０２の端部と巻き取り部１０６の表面は垂直になる。図２（ｂ）及び図４（ｂ）に示すように、表示部１０２の一部が巻き取られた状態では、表示部１０２は、表示領域１３０を含む一部の領域が巻き取り部１０６に巻き取られる。さらに、図３（ｂ）及び図５（ｂ）に示すように、表示部１０２が全て第１格納部１０４に格納された状態では、表示部１０２は、第１格納部１０４の入口近傍の一部の領域を除く大部分が巻き取り部１０６に巻き取られる。
【００２０】
図１（ａ）乃至図６に示した巻き取り部１０６は、円柱状の形状であるが、巻き取り部１０６の形状は、円柱状でなくてもよい。例えば、巻き取り部１０６は、多角柱でもよいし、多角柱の角を丸めた形状であってもよい。また、巻き取り部１０６は、アクチュエータ１０８によって回転するだけでなく、例えば巻き取り部１０６と接続されたハンドルによって、手動で回転するようにしてもよい。
【００２１】
検出部６０６は、表示部１０２の巻き取り方向を検出する。例えば、検出部６０６は、接続部１１２が屈曲した状態で巻き取り部１０６との接触を検出することにより巻き取り方向を検出する。具体的には、図６を用いて説明する。図６は、表示装置１００の断面を示す図である。検出部６０６は、接続部１１２の表示面１２８側及び裏面側のそれぞれに配置される。検出部６０６は、例えば、機械的なスイッチであって、表示部１０２が巻き取られた時に、スイッチが巻き取り部１０６と接触して押下される。巻き取り方向に応じて、接続部１１２の表示面１２８側及び裏面側のいずれか一方に配置されたスイッチが押下されることにより、検出部６０６は、表示部１０２の巻き取り方向を検出する。
【００２２】
なお、検出部６０６は、機械スイッチでなくてもよい。例えば、検出部６０６は、光センサや磁気センサであってもよい。また、制御部１１０がアクチュエータ１０８によって巻き取り部１０６の回転を制御する場合には、表示装置１００は検出部６０６を有しない構成としてもよい。
【００２３】
アクチュエータ１０８は、制御部１１０の制御によって、巻き取り部１０６を第１方向６０２または第２方向６０４に回転させる。具体的には、例えば、アクチュエータ１０８は、モータであって、制御部１１０の指示に基づいて、巻き取り部１０６を第１方向６０２または第２方向６０４に回転させる。
【００２４】
制御部１１０は、巻き取り部１０６を制御する。具体的には、例えば、制御部１１０は、マイコンやＦＰＧＡ等のＩＣや、当該ＩＣが配置された基板である。制御部１１０は、切り替え部を介して巻き取り部１０６の回転する方向や、巻き取り部１０６の回転速度を制御する。制御部１１０は、記憶部の記憶する情報に応じてアクチュエータ１０８を制御することにより、巻き取り部１０６が記憶部に記憶された巻き取り方向と異なる巻き取り方向に表示部１０２を巻き取るように制御する。
【００２５】
より具体的には、例えば、記憶部に「第１方向６０２」という巻き取り方向を表す情報が記憶されている場合に、表示部１０２が第１格納部１０４から全て引き出されると、制御部１１０は、巻き取り部１０６の回転方向を第２方向６０４に切り替える。制御部１１０は、表示部１０２が第１格納部１０４から引き出されるごとに、巻き取り部１０６の回転方向を第１方向６０２と第２方向６０４を交互に切り替えてもよい。また、制御部１１０は、表示部１０２が第１格納部１０４から複数回引き出されるごとに、巻き取り部１０６の回転方向を第１方向６０２と第２方向６０４を交互に切り替えてもよい。
【００２６】
切り替え部は、巻き取り方向を第１方向６０２または第２方向６０４に切り替える。例えば、切り替え部は、制御部１１０の一機能として実現される。具体的には、例えば、切り替え部は、制御部１１０であるＩＣに含まれる論理回路であって、アクチュエータ１０８の回転方向を切り替える。
【００２７】
また、切り替え部は、機械スイッチであってもよい。具体的には、例えば、切り替え部は、第１格納部１０４の外側に配置されたスイッチと、スイッチの押下によって切り替え部の回転方向を切り替えるギヤと、によって構成されてもよい。この場合、表示部１０２は、制御部１１０、検出部６０６、及び、記憶部を有しない構成としてもよい。
【００２８】
記憶部は、巻き取り方向に関する情報を記憶する。具体的には、例えば記憶部は、制御部１１０に含まれるマイコンやＦＰＧＡ等のＩＣが有するメモリ、または、当該ＩＣと接続されるメモリである。記憶部は、検出部６０６が検出した巻き取り方向が第１方向６０２であるか第２方向６０４であるかを識別する情報（以下、巻き取り方向情報とする）を記憶する。また、記憶部は、制御部１１０が制御したアクチュエータ１０８の回転方向を巻き取り方向情報として記憶してもよい。
【００２９】
なお、記憶部は、表示装置１００の電源が切れた状態でも記憶した情報を保持する不揮発性のメモリであることが望ましい。機械的な検出器を設ける構成とする場合など、表示部１０２の電源が切れた状態でも巻き取り方向を検出する手段を備えている場合には、記憶部は、揮発性のメモリであってもよい。
【００３０】
接続部１１２は、巻き取り部１０６と表示部１０２とを接続し、巻き取り方向に応じて屈曲する。具体的には、例えば、接続部１１２は、ヒンジである。接続部１１２の詳細については後述する。
【００３１】
ロール対１１４は、第１格納部１０４に配置される。具体的には、ロール対１１４は、第１格納部１０４の開口１３２の近くに表示部１０２を挟んで配置される。ロール対１１４は、表示部１０２が巻き取り部１０６に巻き取られる際に生じる摺動摩擦を低減する。なお、表示装置１００は、ロール対１１４を有しなくてもよい。
【００３２】
引き出し構造体１１６は、第１格納部１０４と、第２格納部１１８と、の位置関係を規制する機構である。具体的には、例えば図１（ｂ）に示すように、引き出し構造体１１６は、平板が階段状に接続された形状である。表示部１０２が全て第１格納部１０４から引き出された状態で、引き出し構造体１１６は、最も引き伸ばされた状態となる。これにより、引き出し構造体１１６は、第１格納部１０４と第２格納部１１８が所定の距離より離れないように、第１格納部１０４と第２格納部１１８の位置関係を規制する。
【００３３】
また、引き出し構造体１１６は、伸縮する。具体的には、例えば図２（ｂ）及び図４（ｂ）に示すように、表示部１０２の一部が第１格納部１０４に格納された状態では、引き出し構造体１１６は、図１（ｂ）に示す引き出し構造体１１６の長さの半分程度に縮められる。さらに、図３（ｂ）及び図５（ｂ）に示すように、表示部１０２を全て第１格納部１０４に格納した状態では、引き出し構造体１１６は、最も短くなり、第１格納部１０４の内部に収容される。引き出し構造体１１６が伸縮することにより、表示装置１００の引き出された領域の大きさに応じて表示される画像の大きさを変えることが出来る。
【００３４】
第２格納部１１８は、内部に固定部１２６等を格納する。具体的には、例えば、第２格納部１１８は、金属製または樹脂製の筐体であって、内部に表示部１０２の一部、駆動回路１２０、接続線１２２、制御回路１２４、及び、固定部１２６が配置される。
【００３５】
駆動回路１２０は、各画素に供給する電源や信号を生成する。具体的には、例えば、駆動回路１２０は、各画素に供給する電源や信号を生成するＩＣである。駆動回路１２０は、各画素に配置された駆動トランジスタに対してソース・ドレイン間を導通させるための電位を印加すると共に、各データ信号線に対して階調値に対応する電流を流す。駆動回路１２０によって、表示部１０２は、表示領域１３０に画像を表示する。
【００３６】
接続線１２２は、導電性を有する材料で形成され、駆動回路１２０と制御回路１２４を電気的に接続する。制御回路１２４は、駆動回路１２０の動作を制御する。具体的には、制御回路１２４は、外部装置（図示なし）から画像信号及び電源を取得する。制御回路１２４は、取得した画像信号及び電源に基づいて、画像信号や画素を点灯させるタイミングを制御する信号等を生成し、駆動回路１２０に供給する。
【００３７】
固定部１２６は、第２格納部１１８に配置され、第２格納部１１８と表示部１０２とを固定する。具体的には、例えば、固定部１２６は、例えば直方体の形状であって、一の面が第２格納部１１８の内壁に固定され、他の面は表示部１０２の端部を固定する。これにより、表示部１０２と第２格納部１１８の位置関係を固定する。
【００３８】
続いて、接続部１１２の詳細について説明する。図７（ａ）乃至図７（ｃ）は、第１の実施形態の平面視における表示装置１００を示す図である。なお、説明を簡略化するため、図７において、第２格納部１１８等の構成は省略している。
【００３９】
図６乃至図７（ｃ）に示すように、接続部１１２は巻き取り部１０６と表示部１０２とを接続し、接続部１１２の回転軸６１０を中心に巻き取り方向に応じて屈曲するヒンジである。具体的には、接続部１１２は、巻き取り部１０６に固定された巻き取り部側接続部１１２ａと、表示部１０２と接続された表示部側接続部１１２ｂと、によって構成される。巻き取り部側接続部１１２ａと表示部側接続部１１２ｂとは、回転軸６１０を中心に屈曲可能なように接続される。
【００４０】
また、接続部１１２は、表示部１０２の一辺に離間して配置された複数の接続領域を有するようにしてもよい。具体的には、図７（ａ）に示すように、接続部１１２は、表示部１０２の上下の端部にのみ設けられ、当該端部に設けられた表示部側接続部１１２ｂが表示部１０２と接続されるようにしてもよい。また、図７（ｂ）に示すように、接続部１１２は、表示部１０２の左側の一辺に沿って、上端から下端に切れ目ない形状としてもよい。この場合、表示部１０２の一辺に亘って設けられた表示部側接続部１１２ｂと表示部１０２が接続される。また、図７（ｃ）に示すように、接続部１１２は、表示部１０２の左側の一辺に沿って、上端から下端にかけて一部の領域に切れ目を有する形状であってもよい。この場合、表示部側接続部１１２ｂは、当該切れ目の設けられていない領域で表示部１０２と接続される。
【００４１】
続いて、表示装置１００が表示部１０２を巻き取る動作について、図８のフローチャートを用いて説明する。なお、本フローチャートでは、制御部１１０が記憶部に記憶された巻き取り方向情報に応じて、アクチュエータ１０８を制御する場合について説明する。
【００４２】
まず、制御部１１０は、表示部１０２が全て引き出されたか否かを判定する（Ｓ８０２）。具体的には、制御部１１０は、巻き取り部１０６の回転数によって、表示部１０２が全て引き出されたか否かを判定する。また、制御部１１０は、図示しないセンサ等により、表示部１０２が全て引き出されたか否かを判定してもよい。なお、全て引き出された状態とは、図６に示すように、表示部１０２と巻き取り部１０６とが接している部分が存在しない状態をいう。
【００４３】
表示部１０２が全て引き出されたと判定された場合は、制御部１１０は、記憶部に記憶された巻き取り方向情報を読み出す（Ｓ８０４）。具体的には、例えば、直前の巻き取り方向が第１方向６０２である場合、記憶部は、第１方向６０２を表す巻き取り方向情報を記憶している。従って、制御部１１０は、記憶部から第１方向６０２を表す巻き取り方向情報を読み出す。
【００４４】
表示部１０２が全て引き出されていないと判定された場合は、制御部１１０は、その時点における表示部１０２の巻き取り方向を維持したまま、アクチュエータ１０８を制御する。
【００４５】
次に、制御部１１０は、読み出された巻き取り方向情報が表す巻き取り方向を判定し（Ｓ８０６）、読み出された巻き取り方向情報が第１方向６０２を表す場合、制御部１１０は、巻き取り部１０６が表示部１０２を第２方向６０４に巻き取るようにアクチュエータ１０８を制御する（Ｓ８０８）。一方、読み出された巻き取り方向情報が第２方向６０４を表す場合、制御部１１０は、巻き取り部１０６が表示部１０２を第１方向６０２に巻き取るようにアクチュエータ１０８を制御する（Ｓ８１０）。
【００４６】
次に、検出部６０６は、巻き取り方向を検出する（Ｓ８１２）。具体的には、巻き取り方向に応じて、接続部１１２の表示面１２８側及び裏面側のいずれか一方に配置されたスイッチが押下されることにより、検出部６０６は、表示部１０２の巻き取り方向を検出する。記憶部は、検出部６０６が検出した巻き取り方向を表す巻き取り方向情報を記憶する。
【００４７】
そして、巻き取り部１０６の動作が終了すると、フローチャートに示した一連の巻き取り動作は終了する（Ｓ８１４）。なお、当該ステップにおいて、表示部１０２は、全て巻き取られてもよいし、一部が巻き取られてもよい。
【００４８】
なお、検出部６０６を有しない構成とする場合には、制御部１１０は、Ｓ８０８の後に、記憶部に記憶された巻き取り方向情報を第１方向６０２を表す巻き取り方向情報に変更してもよい。また、制御部１１０は、Ｓ８１０の後に、記憶部に記憶された巻き取り方向情報を第２方向６０４を表す巻き取り方向情報に変更するようにしてもよい。また、上記フローチャートによれば、制御部１１０は、第１方向６０２と第２方向６０４を交互に切り替えるように制御するが、複数回ごとに巻き取り方向を切り替えるように制御してもよい。
【００４９】
以上のように、第１の実施形態によれば、ローラの巻き取り方向を定期的に変化させることにより、表示部１０２に巻き癖がつきにくくすることができる。さらに、特に破損の生じやすい接続部１１２がヒンジで形成されることにより、表示装置１００をより破損しにくくすることができる。
【００５０】
なお、接続部１１２が有する回転軸６１０の個数は２個以上であってもよい。図９は、第１の実施形態の変形例における表示装置１００の断面を示す図である。また、図１０（ａ）乃至図１０（ｃ）は、第１の実施形態の変形例において平面視における表示装置１００を示す図である。図９及び図１０（ａ）乃至図１０（ｃ）に示すように、本変形例における接続部１１２は、ヒンジであって、２個の回転軸６１０を有するようにしてもよい。
【００５１】
具体的には、接続部１１２は、巻き取り部１０６に固定された巻き取り部側接続部１１２ａと、表示部１０２と接続された表示部側接続部１１２ｂと、巻き取り部側接続部１１２ａと表示部側接続部１１２ｂの間に配置された中間接続部１１２ｃと、によって構成される。巻き取り部側接続部１１２ａと中間接続部１１２ｃとは、回転軸６１０を中心に屈曲可能なように接続される。また、中間接続部１１２ｃと表示部側接続部１１２ｂとは、屈曲可能なように接続される。
【００５２】
また、接続部１１２は、表示部１０２の一辺に離間して配置された複数の接続領域を有するようにしてもよい。具体的には、図１０（ａ）に示すように、接続部１１２は、表示部１０２の上下の端部にのみ設けられ、当該端部に設けられた表示部側接続部１１２ｂが表示部１０２と接続されるようにしてもよい。また、図１０（ｂ）に示すように、接続部１１２は、表示部１０２の左側の一辺に沿って、上端から下端に切れ目ない形状としてもよい。この場合、表示部１０２の一辺に亘って設けられた表示部側接続部１１２ｂと表示部１０２が接続される。また、図１０（ｃ）に示すように、接続部１１２は、表示部１０２の左側の一辺に沿って、上端から下端にかけて一部の領域に切れ目を有する形状であってもよい。この場合、表示部側接続部１１２ｂは、当該切れ目の設けられていない領域で表示部１０２と接続される。
【００５３】
また、図６においては、検出部６０６は接続部１１２に設けられていたが、図９に示すように、巻き取り部１０６に設けられても良い。図６の場合、検出部６０６は巻き取り部１０６への接触判定によって巻き取り方向を検出していたが、図９のように、検出部６０６を巻き取り部１０６に設ける場合は、検出部６０６は、表示部１０２との接触判定によって巻き取り方向が検出される。
【００５４】
本変形例によれば、接続部１１２の第１方向６０２及び第２方向６０４への屈曲性が向上することにより、表示部１０２と巻き取り部１０６を接続する接続部１１２の破損をさらに生じにくくすることができる。
【００５５】
[第２の実施形態]
続いて、第２の実施形態について説明する。第２の実施形態は、接続部１１２の構造が第１の実施形態と異なる。その他の点については、第１の実施形態と同様であるため、説明を省略する。図１１は、第２の実施形態における表示装置１００の断面を示す図である。図１２は、第２の実施形態の変形例における表示装置１００の断面を示す図である。図１３（ａ）及び図１３（ｂ）は、第２の実施形態の平面視における表示装置１００を示す図である。
【００５６】
本実施形態における接続部１１２は、弾性体である。具体的には、例えば、接続部１１２は、ゴムやばね等の第１方向６０２及び第２方向６０４に屈曲可能な弾性体で形成される。図１１に示すように、接続部１１２は、１個のまとまった弾性部材で形成され、巻き取り部１０６及び表示部１０２と接続されてもよい。また、接続部１１２は、複数の弾性部材で構成されてもよい。具体的には、図１２に示すように、接続部１１２は、表示面１２８に固定された表示面側接続部１２０２と、表示面１２８の裏側に、表示面側接続部１２０２と離間して固定された裏面側接続部１２０４と、を有していてもよい。
【００５７】
また、接続部１１２は、表示部１０２の一辺に離間して配置された複数の接続領域を有するようにしてもよい。具体的には、図１３（ａ）に示すように、接続部１１２は、表示部１０２の左側の一辺に沿って、上端から下端に切れ目ない形状としてもよい。この場合、表示部１０２の一辺に亘って設けられた接続部１１２と表示部１０２が接続される。また、図１０（ｂ）に示すように、接続部１１２は、表示部１０２の左側の一辺に沿って、上端から下端にかけて一部の領域に切れ目を有する形状であってもよい。この場合、接続部１１２は、当該切れ目の設けられていない領域で表示部１０２と接続される。
【００５８】
また、図６においては、検出部６０６は接続部１１２に設けられていたが、図１１、及び図１２に示すように、表示部１０２の表裏に設けられても良い。図６の場合と同様、検出部６０６は巻き取り部１０６への接触判定によって巻き取り方向が検出される。
【００５９】
本実施形態においても、接続部１１２の第１方向６０２及び第２方向６０４への屈曲性が向上することにより、表示部１０２と巻き取り部１０６を接続する接続部１１２の破損を生じにくくすることができる。
【００６０】
[第３の実施形態]
続いて、第３の実施形態について説明する。第３の実施形態は、接続部１１２の構造が第１及び第２の実施形態と異なる。その他の点については、第１の実施形態と同様であるため、説明を省略する。図１４は、第３の実施形態における表示装置１００の断面を示す図である。図１５（ａ）乃至図１５（ｃ）は、第３の実施形態の平面視における表示装置１００を示す図である。
【００６１】
本実施形態における接続部１１２は、巻き取り部側接続部１４０２と、表示部側接続部１４０４と、を有する。具体的には、図１４に示すように、接続部１１２は、巻き取り部１０６と固定されたガイドバーを有する巻き取り部側接続部１４０２と、ガイドバーが挿通される穴が設けられた表示部側接続部１４０４と、を有する。ガイドバーは、例えば半環状である。ガイドバーは、半環状の切り欠いた部分が巻き取り部１０６側になるように巻き取り部１０６と固定される。穴は、ガイドバーが挿通されるように、ガイドバーの径よりも大きな径でガイドバーに対応する位置に設けられる。
【００６２】
また、接続部１１２は、表示部１０２の一辺に離間して配置された複数の接続領域を有するようにしてもよい。具体的には、図１５（ａ）に示すように、接続部１１２は、表示部１０２の上下の端部及び中央部にのみ設けられ、当該箇所に設けられた表示部側接続部１４０４が表示部１０２と接続されるようにしてもよい。また、図１５（ｂ）及び図１５（ｃ）に示すように、接続部１１２は、表示部１０２の左側の一辺に沿って、上端から下端に切れ目ない形状としてもよい。この場合、表示部１０２の一辺に亘って設けられた表示部側接続部１４０４と表示部１０２が接続される。
【００６３】
また、ガイドバー及び穴の数は、少なくとも２以上であればよい。例えば、図１５（ａ）に示すように、ガイドバー及び穴の数は３個であってもよいし、図１５（ｃ）に示すように、ガイドバー及び穴の数は８個であってもよい。
【００６４】
上記のように、本実施形態によれば、接続部は、ルーズリーフの綴じ具のような構造で形成される。これにより、第１及び第２の実施形態と同様に、接続部の第１方向及び第２方向への屈曲性が向上することにより、表示部１０２と巻き取り部１０６を接続する接続部の破損を生じにくくすることができる。
【００６５】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００６６】
１００  表示装置、１０２  表示部、１０４  第１格納部、１０６  巻き取り部、１０８  アクチュエータ、１１０  制御部、１１２  接続部、１１２ａ  巻き取り部側接続部、１１２ｂ  表示部側接続部、１１２ｃ  中間接続部、１１４  ロール対、１１６  引き出し構造体、１１８  第２格納部、１２０  駆動回路、１２２  接続線、１２４  制御回路、１２６  固定部、１２８  表示面、１３０  表示領域、１３２  開口、６０２  第１方向、６０４  第２方向、６０６  検出部、６０８  巻き取り軸、６１０  回転軸、１２０２  表示面側接続部、１２０４  裏面側接続部、１４０２  巻き取り部側接続部、１４０４  表示部側接続部。
【図１】
2019184913.tif 000003
【図２】
2019184913.tif 000004
【図３】
2019184913.tif 000005
【図４】
2019184913.tif 000006
【図５】
2019184913.tif 000007
【図６】
2019184913.tif 000008
【図７】
2019184913.tif 000009
【図８】
2019184913.tif 000010
【図９】
2019184913.tif 000011
【図１０】
2019184913.tif 000012
【図１１】
2019184913.tif 000013
【図１２】
2019184913.tif 000014
【図１３】
2019184913.tif 000015
【図１４】
2019184913.tif 000016
【図１５】
2019184913.tif 000017